(57)【要約】      （修正有）【課題】アップリンクチャネルの帯域幅を低減することなく、チャネル品質指示を表す情報の報告を可能にする方法を提供する。【解決手段】第１の通信装置によって、第２の通信装置から、少なくとも１つの周波数サブバンドに対するチャネル品質指示を表す情報を取得するために、周波数サブバンドは少なくとも１つの周波数サブバンドのグループにグループ化され（Ｓ４００）、第１の通信装置は第２の通信装置にメッセージを転送し（Ｓ４０１）、少なくとも１つの周波数サブバンドの第１のグループを識別する情報を含むメッセージは、第２の通信装置から、第１のグループに含まれる各周波数サブバンドに対し、第２の通信装置によって確定されるチャネル品質指示を表す情報を受け取る（Ｓ４０２、Ｓ４０３）。【選択図】図４
2011024224.tif 000002
【特許請求の範囲】
【請求項１】
第２の通信装置によって周波数サブバンドに対して決定されるチャネル品質指示を表す情報を、第１の通信装置に転送する方法であって、
前記第１および第２の通信装置は無線通信ネットワークを介してリンクされ、
前記無線通信ネットワークは複数の周波数サブバンドを使用する
方法において、前記方法は、前記第２の通信装置によって実行される複数のステップとして、
第１の周波数範囲に含まれるサブバンドのそれぞれについて、そのサブバンドに対するチャネル品質指示を決定するステップと、
前記第１の周波数範囲に等しい第２の周波数範囲において、少なくとも２つのサブバンドに対するチャネル品質指示を決定するステップと、
決定された複数のチャネル品質指示を少なくとも含むメッセージを、前記第１の通信装置に転送するステップと
を含むことを特徴とする、方法。
【発明の詳細な説明】
【技術分野】
【０００１】
本発明は、包括的には通信システムに関し、特に、少なくとも１つの周波数サブバンドの第１のグループのチャネル品質指示を表す情報と、少なくとも１つの周波数サブバンドの第２のグループのチャネル品質指示を表す情報とを報告する方法及び装置に関する。
【背景技術】
【０００２】
最近、高データレート無線通信に対する高まりつつある需要を満たすために、空間領域及び周波数領域における効率的な伝送方式が研究されている。近年、移動体通信システムに対し、直交周波数分割多元接続（Orthogonal Frequency Division Multiplexing Access）方式（ＯＦＤＭＡ）が検討されている。
【０００３】
従来、チャネル品質指示として、端末によって測定される信号対干渉・雑音比（Signal to Interference plus Noise Ratio）が使用される。周波数スケジューリングの場合、又は周波数サブバンドベース伝送制御を実行するために、各端末は基地局に対し、ＯＦＤＭＡシステムのサブバンドの各々に対するチャネル品質指示を報告する。こうしたチャネル品質指示報告は、各端末から基地局に大量の情報ビットを転送することによって実行される。こうした報告には、ＯＦＤＭＡシステムの利用可能な帯域幅の重要な部分が必要である。
【０００４】
さらに、無線通信ネットワークが、広く且つ連続したエリアをカバーするために互いに近接して配置される複数の基地局を含む場合、基地局が管理する無線エリアに含まれる移動端末と通信するためにその基地局によって使用される周波数サブバンドは、隣接無線エリアに位置する他の移動端末によって測定される雑音レベル及び干渉を増大させる。
【０００５】
そのため、いくつかの無線計画技法が開発された。基地局に割り当てられる周波数サブバンドは、その隣接基地局に割り当てられる周波数サブバンドとは異なる。
【０００６】
無線計画技法が複雑であること、及び無線通信ネットワークに新たな基地局が設置される度に周波数サブバンドを再割当てする必要があることにより、こうした解決法は十分ではない。
【先行技術文献】
【特許文献】
【０００７】
【特許文献１】国際公開第２００５／０７４３１２号パンフレット（要約書、第２１頁１７行目〜第２２頁１２行目）
【特許文献２】国際公開第２００５／０７２０７３号パンフレット（要約書、００４６段落〜００４９段落、００９７段落〜０１１５段落、図１３）
【特許文献３】欧州特許出願公開第１６７９９２４号明細書（要約書、００２６段落、００２９段落、００５９段落）
【非特許文献】
【０００８】
【非特許文献１】3GPP TSG RAN WG1 31: "Tdoc R1-03-0286 Text proposal on CQI Enhancements for TR on HSDPA Enhancements," TSG-RAN WG1 #31, ２００３年２月１８日, １〜７ページ, XP002312853（第５頁、 ６．１．２．１段落、要約書）
【非特許文献２】SEOKHYUN YOON他 "Orthogonal frequency division multiple access with an aggregated sub-channel structure and statistical channel quality measurement," VEHICULAR TECHNOLOGY CONFERENCE, 2004. VTC2004-FALL. 2004 IEEE 60TH LOS ANGELES, CA, USA 26-29 SEPT. 2004, PISCATAWAY, NJ, USA, IEEE, ２００４年９月２６日, １０２３〜１０２７ページ, XP010786777, ISBN: 0-7803-8521-7（要約書、第１０２３頁 第２欄３行目〜７行目、第１０２４頁 第１欄１５行目〜２８行目）
【非特許文献３】DAMJI N他 "Adaptive downlink multi-carrier resource allocation for real-time multimedia traffic in cellular systems," COMMUNICATIONS, 2004 IEEE INTERNATIONAL CONFERENCE ON PARIS, FRANCE 20-24 JUNE, 2004, PISCATAWAY, NJ, USA, IEEE, ２００４年６月２０日, ４２５８〜４２６２ページ, XP010711937, ISBN: 0-7803-8533-0（第４２５９頁, 第２欄２０行目〜２５行目）
【発明の概要】
【発明が解決しようとする課題】
【０００９】
したがって、本発明の目的は、従来のデータ伝送で使用されるアップリンクチャネルの帯域幅を重要な方法で低減することなく、第２の通信装置によって確定されるチャネル品質指示を表す情報の、第１の通信装置への報告を可能にする方法及び装置を提案することである。
【００１０】
さらに、本発明は、優れたチャネル品質指示を有する周波数サブバンドを、通信装置間の通信に使用するために、且つ既存の無線通信ネットワークで使用されるような無線計画技法の使用を回避するために、確定することを目的とする。
【課題を解決するための手段】
【００１１】
以上の目的のために、本発明は、第１の通信装置によって、第２の通信装置から、少なくとも１つの周波数サブバンドに対するチャネル品質指示を表す情報を取得する方法であって、第１の通信装置及び第２の通信装置は無線通信ネットワークを介してリンクされ、無線通信ネットワークは複数の周波数サブバンドを使用する、方法において、周波数サブバンドは少なくとも１つの周波数サブバンドの複数のグループにグループ化されることを特徴とし、かつ、当該方法は、第１の通信装置によって実行される複数のステップとして、
第２の通信装置にメッセージを転送するステップであって、メッセージは、少なくとも１つの周波数サブバンドの複数のグループのうちから少なくとも１つの周波数サブバンドの第１のグループを識別する情報を含む、転送するステップと、
第２の通信装置から、第１のグループに含まれる各周波数サブバンドに対し、第１のグループに含まれるその周波数サブバンドに対し第２の通信装置によって確定されるチャネル品質指示を表す情報を受け取るステップと
を含むことを特徴とする、方法に関する。
【００１２】
本発明はまた、第２の通信装置から、少なくとも１つの周波数サブバンドに対するチャネル品質指示を表す情報を取得する装置であって、情報を取得する装置は第１の通信装置であり、第１の通信装置と第２の通信装置とは無線通信ネットワークを介してリンクされ、無線通信ネットワークは複数の周波数サブバンドを使用する、装置において、周波数サブバンドは少なくとも１つの周波数サブバンドの複数のグループにグループ化されることを特徴とし、かつ、第１の通信装置は、
第２の通信装置にメッセージを転送する手段であって、メッセージは少なくとも１つの周波数サブバンドの複数のグループのうちから少なくとも１つの周波数サブバンドの第１のグループを識別する情報を含む、転送する手段と、
第２の通信装置から、第１のグループに含まれる各周波数サブバンドに対し、第１のグループに含まれるその周波数サブバンドに対し第２の通信装置によって確定されるチャネル品質指示を表す情報を受け取る手段と
を備えることを特徴とする、装置に関する。
【００１３】
このため、第１の通信装置は、従来のデータ伝送に使用される帯域幅を重要な方法で低減することなく、第１のグループに含まれる各周波数サブバンドに対し第２の通信装置によって確定されるチャネル品質指示を表す情報を知る。
【００１４】
特定の特徴によれば、チャネル品質指示を表す各情報は、メッセージに含まれるか又は少なくとも１つのパイロット信号を重み付けする。
【００１５】
特定の特徴によれば、第１の通信装置は、
第２のグループに含まれる各周波数サブバンドに対し第２の通信装置によって確定されるチャネル品質指示を表す情報を受け取り、第２のグループは第１のグループとは異なる。
【００１６】
第２のグループに含まれる各周波数サブバンドに対して確定されるチャネル品質指示を表す単一の情報を受け取ることにより、従来のデータ伝送に使用される帯域幅は重要な方法で低減されない。
【００１７】
特定の特徴によれば、第１の通信装置は、複数のグループのうちから少なくとも１つの第２のグループを識別する情報を受け取り、少なくとも１つの周波数サブバンドの別の第１のグループを識別する情報を転送し、この別の第１のグループは第２のグループである。
【００１８】
特定の特徴によれば、チャネル品質指示を表す情報が所与の情報を上回る場合、第１の通信装置は、
第２の通信装置にメッセージを転送し、メッセージは、少なくとも１つの周波数サブバンドの複数のグループのうちから少なくとも１つの周波数サブバンドの別の第１のグループを識別する情報を含み、
第２の通信装置からメッセージを受け取り、メッセージは、別の第１のグループに含まれる各周波数サブバンドに対し、その周波数サブバンドに対して第２の通信装置によって確定されるチャネル品質指示を表す情報を含む。
【００１９】
このため、第１の通信装置は、チャネル品質指示を表す情報を使用して、第２のグループの少なくとも１つの周波数サブバンドに対するチャネル状態をおおまかに知り、別の第１のグループに含まれる各周波数サブバンドに対して第２の通信装置によって確定されるチャネル品質指示を表すより正確な情報が、必要か否かを判断する。
【００２０】
そのために、第１の通信装置は、長期間の間に、重大な数の周波数サブバンドに対するチャネル品質指示を表す情報を取得することができる。
【００２１】
特定の特徴によれば、第１の通信装置は、少なくとも１つの周波数サブバンドの複数のグループのうちから少なくとも１つの周波数サブバンドの第２のグループを識別する情報を転送し、第２のグループは第１のグループとは異なる。
【００２２】
特定の特徴によれば、第１の通信装置は、
第２の通信装置にメッセージを転送し、メッセージは、少なくとも１つの周波数サブバンドの複数のグループのうちから少なくとも１つの周波数サブバンドの別の第２のグループを識別する情報を含み、
第２の通信装置からメッセージを受け取り、メッセージは、別の第２のグループに含まれる各周波数サブバンドに対し第２の通信装置によって確定されるチャネル品質指示を表す情報を含む。
【００２３】
このため、第１の通信装置は、長期間の間に、重大な数の周波数サブバンドに対して確定されるチャネル品質指示を表す情報を取得することができる。
【００２４】
特定の特徴によれば、別の第１のグループは第２のグループである。
【００２５】
このため、第１の通信装置は、チャネル品質指示を表す情報を使用して、第２のグループの少なくとも１つの周波数サブバンドに対するチャネル指示をおおまかに知り、第２のグループに含まれる各周波数サブバンドに対するチャネル品質指示を表すより正確な情報が必要か否かを判断する。
【００２６】
特定の特徴によれば、チャネル品質指示を表す情報が所与の情報を上回る場合、別の第２のグループは第２のグループに含まれる。
【００２７】
このため、第１の通信装置は、チャネル品質指示を表す情報を使用して、第２のグループの周波数サブバンドに対するチャネル指示をおおまかに知り、限られた数の周波数サブバンドに対するチャネル指示を表す情報が必要か否かを判断する。
【００２８】
特定の特徴によれば、チャネル品質指示を表す情報が所与の情報を下回る場合、別の第２のグループに含まれる各周波数サブバンドは、第２のグループに含まれる少なくとも１つの周波数サブバンドとは異なる。
【００２９】
このため、第１の通信装置は、チャネル品質指示を表す情報を使用して、第２のグループの周波数サブバンドに対するチャネル品質指示をおおまかに知り、第２のグループに含まれる周波数サブバンドが第２の通信装置と通信するために適当でないか否かを判断する。
【００３０】
特定の特徴によれば、第１の通信装置は少なくとも２つの第２の通信装置にリンクされ、第１の通信装置は、各第２の通信装置から、第２のグループに含まれる各周波数サブバンドに対して確定されるチャネル品質指示を表す情報を受け取り、各第２の通信装置によって確定されるチャネル品質指示を表す情報は同一の周波数サブバンドで受け取られる。
【００３１】
このため、周波数サブバンドを、各第２の通信装置によって確定されるチャネル品質指示を表す情報の受け取りに専用とすることができる。
【００３２】
特定の特徴によれば、無線通信ネットワークは複数の第１の通信装置を含み、各第１の通信装置は、無線通信ネットワークの複数の周波数サブバンドの分割によって形成される周波数サブバンドの同一の複数のグループを使用する。
【００３３】
さらに別の態様によれば、本発明は、第１の通信装置に、第２の通信装置によって、少なくとも１つの周波数サブバンドに対するチャネル品質指示を表す情報を転送する方法であって、第１の通信装置及び第２の通信装置は無線通信ネットワークを介してリンクされ、無線通信ネットワークは複数の周波数サブバンドを使用する、方法において、周波数サブバンドは少なくとも１つの周波数サブバンドの複数のグループにグループ化されることを特徴とし、かつ、当該方法は、第２の通信装置によって実行される複数のステップとして、
第１の通信装置からメッセージを受け取るステップであって、メッセージは、少なくとも１つの周波数サブバンドの複数のグループのうちから少なくとも１つの周波数サブバンドの第１のグループを識別する情報を含む、受け取るステップと、
第１の通信装置に、第１のグループに含まれる各周波数サブバンドに対し、その周波数サブバンドに対し第２の通信装置によって確定されるチャネル品質指示を表す情報を転送するステップと
を含むことを特徴とする、方法に関する。
【００３４】
本発明はまた、第１の通信装置に、少なくとも１つの周波数サブバンドに対するチャネル品質指示を表す情報を転送する装置であって、情報を転送する装置は第２の通信装置であり、第１の通信装置と第２の通信装置とは無線通信ネットワークを介してリンクされ、無線通信ネットワークは複数の周波数サブバンドを使用する、装置において、周波数サブバンドは少なくとも１つの周波数サブバンドの複数のグループにグループ化されることを特徴とし、かつ、第２の通信装置は、
第１の通信装置からメッセージを受け取る手段であって、メッセージは少なくとも１つの周波数サブバンドの複数のグループのうちから少なくとも１つの周波数サブバンドの第１のグループを識別する情報を含む、受け取る手段と、
第１のグループに含まれる各周波数サブバンドに対し、その周波数サブバンドに対し第２の通信装置によって確定されるチャネル品質指示を表す情報を、第１の通信装置に転送する手段と
を備えることを特徴とする、装置に関する。
【００３５】
このため、第１の通信装置は、従来のデータ伝送に使用される帯域幅を重要な方法で低減することなく、第１のグループに含まれる各周波数サブバンドに対し第２の通信装置によって確定されるチャネル品質指示を表す情報を知る。
【００３６】
特定の特徴によれば、チャネル品質指示を表す各情報は、メッセージに含まれるか又は少なくとも１つのパイロット信号を重み付けする。
【００３７】
特定の特徴によれば、第２の通信装置は、第２のグループに含まれる各周波数サブバンドに対し第２の通信装置によって確定されるチャネル品質指示を表す情報を転送し、第２のグループは第１のグループとは異なる。
【００３８】
このため、第１の通信装置は、第２のグループの少なくとも１つの周波数サブバンドのチャネル品質指示を表す情報を受け取ることができる。チャネル品質指示を表す単一の情報を受け取ることにより、従来のデータ伝送で使用される帯域幅は重要な方法で低減されない。
【００３９】
特定の特徴によれば、第２の通信装置は、少なくとも１つの周波数サブバンドの複数のグループのうちから少なくとも１つの周波数サブバンドの第２のグループを識別する情報を受け取る。
【００４０】
特定の特徴によれば、第２の通信装置は、複数のグループのうちから、当該グループに含まれる各周波数サブバンドに対し第２の通信装置によって確定されるチャネル品質指示を表す最も高い(the highest)情報を有する少なくとも１つのグループを確定し、確定されたグループは第２のグループである。
【００４１】
さらに別の態様によれば、本発明は、プログラム可能装置に直接ロード可能であり得るコンピュータプログラムであって、プログラム可能装置において実行されると、本発明による方法のステップを実装する命令又はコード部を含む、コンピュータプログラムに関する。
【００４２】
コンピュータプログラムに関する特徴及び利点は、本発明による方法及び装置を表す上述したものと同じであるため、ここでは繰り返さない。
【００４３】
さらに別の態様によれば、本発明は、第１の通信装置によって第２の通信装置に転送されるメッセージであって、第１の通信装置及び第２の通信装置は無線通信ネットワークを介してリンクされ、無線通信ネットワークは複数の周波数サブバンドを使用し、周波数サブバンドは少なくとも１つの周波数サブバンドの複数のグループにグループ化される、メッセージにおいて、メッセージは少なくとも１つの周波数サブバンドの複数のグループのうちから、少なくとも１つの周波数サブバンドの第１のグループであって、第１のグループに含まれる各周波数サブバンドに対し第２の通信装置によって確定されるチャネル品質指示を表す情報が第１の通信装置によって受け取られるよう期待される、少なくとも１つの周波数サブバンドの第１のグループを識別する情報を含むことを特徴とする、メッセージに関する。
【００４４】
特定の特徴によれば、メッセージは、少なくとも１つの周波数サブバンドの複数のグループのうちから少なくとも１つの周波数サブバンドの第２のグループを識別する情報をさらに含み、第２のグループは第１のグループとは異なり、それに対し、第２のグループに含まれる各周波数サブバンドに対し第２の通信装置によって確定されるチャネル品質指示を表す情報が第１の通信装置によって受け取られるよう期待される。
【００４５】
さらに別の態様によれば、本発明は、第２の通信装置によって第１の通信装置に転送されるメッセージであって、第１の通信装置及び第２の通信装置は無線通信ネットワークを介してリンクされ、無線通信ネットワークは複数の周波数サブバンドを使用し、周波数サブバンドは少なくとも１つの周波数サブバンドの複数のグループにグループ化される、メッセージにおいて、メッセージは、第１のグループに含まれる各周波数サブバンドに対し、その周波数サブバンドにおいて第２の通信装置によって確定されるチャネル品質指示を表す情報を含み、メッセージは、少なくとも１つの周波数サブバンドの第２のグループに含まれる各周波数サブバンドに対し第２の通信装置によって確定されるチャネル品質指示を表す情報を含み、第２のグループは第１のグループとは異なること特徴とするメッセージに関する。
【００４６】
信号に関する特徴及び利点は、本発明による方法及び装置に関連する上述したものと同じであるため、ここでは繰り返さない。
【図面の簡単な説明】
【００４７】
【図１】本発明が実装される無線通信ネットワークのアーキテクチャを表す図である。
【図２】第１の通信装置のアーキテクチャを表す図である。
【図３】第２の通信装置のアーキテクチャを表す図である。
【図４】本発明の具現化の第１のモードによる、第１の通信装置によって実行されるアルゴリズムを表す図である。
【図５ａ】本発明による、第２の通信装置によって第１の通信装置に転送されるメッセージの一例を表す図である。
【図５ｂ】少なくとも１つの周波数サブバンドの第１のグループ及び第２のグループを識別する情報を含む、第１の通信装置によって第２の通信装置に転送されるメッセージの一例を表す図である。
【図６ａ】無線通信ネットワークの周波数サブバンドにおける干渉・雑音レベルの第１の例を表す図である。
【図６ｂ】無線通信ネットワークの周波数サブバンドにおける干渉・雑音レベルの第２の例を表す図である。
【図７ａ】少なくとも１つの周波数サブバンドの第１のグループ及び第２のグループを識別する情報を含む、第１の通信装置によって第２の通信装置に転送されるメッセージの別の例を表す図である。
【図７ｂ】第２の通信装置によって第１の通信装置に転送されるフレームの一例を表す図である。
【図８】本発明の具現化の第２のモードによる、第１の通信装置によって実行されるアルゴリズムを表す図である。
【図９】本発明の具現化の第２のモードで使用される周波数サブバンドの異なるグループの一例を表す図である。
【図１０】本発明の具現化の第１のモード及び第２のモードによる、各第２の通信装置によって実行されるアルゴリズムを表す図である。
【図１１】本発明の具現化の第３のモードによる、第１の通信装置によって実行されるアルゴリズムを表す図である。
【図１２】本発明の具現化の第３のモードによる、各第２の通信装置によって実行されるアルゴリズムを表す図である。
【図１３】本発明の具現化の第４のモードによる、他の第２の通信装置によって転送される情報を考慮して、各第２の通信装置に対する少なくとも１つの第１のグループを確定するために、各第１の通信装置によって実行されるアルゴリズムを表す図である。
【発明を実施するための形態】
【００４８】
本発明の特徴は、添付図面を参照して説明する実施形態例の以下の説明を読むことによってより明らかとなろう。
【００４９】
図１は、本発明が実装される無線通信ネットワークのアーキテクチャを表す図である。
【００５０】
図１の無線通信ネットワークでは、複数の第１の通信装置１０１〜１０５が、それぞれ無線エリア１５１〜１５５を管理する。無線エリア１５には、いくつかの第２の通信装置２０が位置している。
【００５１】
図１では、明確にするために第２の通信装置２０１及び２０２を２つしか示さない。
【００５２】
第１の通信装置１０が無線エリア１５を管理するのは、その第１の通信装置１０が、その無線エリア１５に位置する第２の通信装置２０が図１には示さない遠隔通信装置と第１の通信装置１０の資源を介して、何らかの通信を確立することができるようにする場合である。
【００５３】
第１の通信装置１０は、例として且つ非限定的に、基地局若しくはノード又は拡張ノード（enhanced node）Ｂである。
【００５４】
第２の通信装置２０は、例として且つ非限定的に、携帯電話、携帯情報端末、パーソナルコンピュータのような無線端末である。
【００５５】
無線エリア１５１に位置する各第１の通信装置２０１又は２０２は、アップリンクチャネル及びダウンリンクチャネルを使用して第２の通信装置１０１にリンクされる。
【００５６】
無線通信ネットワークでは、直交周波数分割多元接続方式が使用される。ＯＦＤＭＡ方式では、システム帯域幅全体がＬ個の複数の直交周波数サブバンドに分割され、それらは周波数ビン又はサブチャネルとも呼ばれる。ＯＦＤＭＡでは、各周波数サブバンドは、データを変調し得るそれぞれのサブキャリアに関連する。
【００５７】
Ｌ個の周波数サブバンドは、複数のグループに分割される。各グループは少なくとも１つの周波数サブバンドを含む。
【００５８】
非限定的に、無線通信ネットワークに対し周波数サブバンドのグループが事前に定義されていることが好ましい。各第１の通信装置及び第２の通信装置は、各グループにいずれの周波数サブバンド（単数または複数）が含まれるかを知っている。各グループは、各通信装置１０又は２０によって既知である、それを一意に識別する識別子を有する。
【００５９】
無線通信ネットワークは、時分割複信（Time Division Duplexing）方式（ＴＤＤ）又は周波数分割複信（Frequency Division Duplexing）方式のいずれかを使用する。
【００６０】
無線通信ネットワークがＴＤＤ方式を使用する場合、アップリンクチャネル及びダウンリンクチャネルで転送される信号は、同じ周波数帯域の異なる期間において二重化される。無線エリア１５内で転送される信号は同じ周波数スペクトルを共有する。
【００６１】
システムが周波数分割複信方式を使用する場合、アップリンクチャネル及びダウンリンクチャネルで転送される信号は異なる周波数帯域で二重化される。スペクトルは異なる周波数帯域に分割され、アップリンク信号及びダウンリンク信号は同時に送信される。
【００６２】
第１の通信装置１０は、本発明によるメッセージと、データのグループを表す信号とを、ダウンリンクチャネルを介して第２の通信装置２０に転送し、第２の通信装置２０は、本発明によるメッセージと、データのグループを表す信号とを、アップリンクチャネルを介して第１の通信装置１０に転送する。
【００６３】
データのグループは、たとえば、少なくともヘッダフィールドと、通話又はビデオ転送等に関連するデータのような従来のデータを含むペイロードフィールドとによって構成されるフレームである。
【００６４】
無線エリア１５、たとえば無線エリア１５５において転送される信号は、無線エリア１５５の隣接エリアである無線エリア１５１に含まれる第２の通信装置２０１及び２０２によっても受信される。これらの信号は、第２の通信装置２０１及び２０２によって受信される干渉レベル及び／又は雑音レベルを上昇させる。
【００６５】
本発明によれば、各第２の通信装置２０１及び２０２は、少なくとも１つの周波数サブバンドの第１のグループの各周波数サブバンドに対し、その周波数サブバンドにおいてその第２の通信装置２０が測定するチャネル品質指示を第１の通信１０１に報告する。各第２の通信装置２０１及び２０２は、少なくとも１つの周波数サブバンドの第２のグループに対し、少なくとも１つの周波数サブバンドの第２のグループの少なくとも１つの周波数サブバンドに対してその第２の通信装置２０が測定するチャネル品質指示を表す情報を、第１の通信１０１に報告する。
【００６６】
周波数サブバンドのチャネル品質指示を表す情報は、第２の通信装置２０によってその周波数サブバンドにおいて測定されるＳＩＮＲ又は干渉・雑音成分の逆数である。または、この情報は、測定されたＳＩＮＲ又は干渉・雑音成分の逆数が、所定値を上回るか、下回るか、もしくは２つの所定値内に含まれるか、を示す情報である。または、この情報は、測定されたＳＩＮＲ又は測定された干渉・雑音成分に適した変調及び符号化方式である情報である。
【００６７】
第２のグループの少なくとも１つの周波数サブバンドのチャネル品質指示を表す情報は、第２の通信装置２０によって第２のグループの各周波数サブバンドにおいて測定されるＳＩＮＲ又は干渉・雑音成分の逆数の平均である。または、この情報は、平均化されたＳＩＮＲもしくは干渉・雑音成分の逆数が、所定値を上回るか、下回るか、又は２つの所定値内に含まれるか、を示す情報である。または、この情報は、測定されたＳＩＮＲ又は測定された干渉・雑音成分の逆数に適した変調及び符号化方式である情報である。
【００６８】
第１の通信装置１０１は、各周波数サブバンドに対して受け取られるチャネル品質指示と、少なくとも１つの周波数サブバンドの第２のグループの少なくとも１つの周波数サブバンドに対するチャネル品質指示を表す情報とを使用して、少なくとも１つの周波数サブバンドの別の第１のグループ及び／又は別の第２のグループを確定する。この確定される別の第１のグループ及び／又は別の第２のグループは、少なくとも１つの第２の通信装置２０が、周波数サブバンドのその別の第１のグループの各周波数サブバンドに対するチャネル品質指示を表す情報を転送しなければならないものであるか、及び／又は、少なくとも１つの周波数サブバンドのその別の第２のグループの少なくとも１つの周波数サブバンドにおいて、第２の通信装置２０が測定するチャネル品質指示を表す情報をさらに転送しなければならないものである。
【００６９】
各第１の通信装置１０は、自身が管理する無線エリア１５に位置する各第２の通信装置２０に対して、周波数サブバンドの１つ又は複数のグループを確定する。この確定される周波数サブバンドの１つ又は複数のグループは、各第２の通信装置２０が、第１の通信装置１０からダウンリンクチャネルを介してデータのグループを表す信号を受け取る場合に使用しなければならないものであり、及び／又は、各第２の通信装置２０が、第１の通信装置１０に対しアップリンクチャネルを介してデータのグループを表す信号を転送する場合に使用しなければならないものである。
【００７０】
この周波数サブバンドのその１つ又は複数のグループは、少なくとも１つの周波数サブバンドの１つ又は複数の第１のグループである。少なくとも１つの周波数サブバンドの第２のグループは、チャネル品質指示を表す情報を報告する目的のみに対して使用される。
【００７１】
図２は、第１の通信装置のアーキテクチャを表す図である。
【００７２】
第１の通信装置１０は、たとえば、バス２０１によって互いに接続されるコンポーネントと図４及び図１１又は図８及び図１１に開示されるようなプログラムによって制御されるプロセッサ２００とに基づくアーキテクチャを有する。
【００７３】
ここで、第１の通信装置１０は、一変形において、後に開示するようなプロセッサ２００によって実行される動作と同じ動作を実行する１つ又はいくつかの専用集積回路になるように実装される、ということに留意しなければならない。
【００７４】
バス２０１は、プロセッサ２００をリードオンリメモリＲＯＭ２０２、ランダムアクセスメモリＲＡＭ２０３及びチャネルインタフェース２０５にリンクする。
【００７５】
リードオンリメモリＲＯＭ２０２は、第１の通信１０に電源が投入された時にランダムアクセスメモリＲＡＭ２０３に転送される、図４、図１１及び図１３又は図８、図１１及び図１３に開示されるようなアルゴリズムに関連するプログラムの命令を含む。
【００７６】
ＲＡＭメモリ２０３は、変数を受け取るように意図されたレジスタと、図４、図１１及び図１３又は図８、図１１及び図１３に開示されるようなアルゴリズムに関連するプログラムの命令とを含む。
【００７７】
プロセッサ２００は、チャネルインタフェース２０５を介して、第２の通信装置２０によって転送される、少なくとも１つの周波数サブバンドの第１のグループの各周波数サブバンドに対するチャネル品質指示と、少なくとも１つの周波数サブバンドの第２のグループの少なくとも１つの周波数サブバンドに対するチャネル品質指示を表す情報とを受け取る。
【００７８】
プロセッサ２００は、少なくとも１つの周波数サブバンドの別の第１のグループ及び／又は別の第２のグループを選択してもよい。この別の第１のグループ及び／又は別の第２のグループは、少なくとも１つの第２の通信装置２０が、周波数サブバンドのその別の第１のグループの各周波数サブバンドに対するチャネル品質指示をさらに転送しなければならないものであり、及び／又は、少なくとも１つの周波数サブバンドのその別の第２のグループの少なくとも１つの周波数サブバンドに対するチャネル品質指示を表す情報をさらに転送しなければならないものである。
【００７９】
プロセッサ２００は、第２の通信装置２０に対して第１のグループをランダムに指示して、第１のグループに含まれる各サブバンドに対するチャネル品質指示を取得することができる。プロセッサ２００は、長期間にわたり、無線通信ネットワークによって使用される多くとも各周波数サブバンドに対するチャネル品質指示を取得するために第１のグループを変更することができる。そのために、プロセッサ２００は、第２のグループの少なくとも１つの周波数サブバンドのチャネル品質指示を表す情報を使用してもよい。
【００８０】
非限定的に、プロセッサ２００は、第２の通信装置２０から受け取られる第１のグループの各チャネル品質指示から、これら品質チャネル指示を表す情報を確定することが好ましい。その情報は、第２の通信装置２０から受け取られる、ＳＩＮＲの平均もしくは干渉・雑音成分の逆数の平均であるか、又は、平均化されたＳＩＮＲ又は干渉・雑音成分の逆数の平均が所定値を上回るか下回るかもしくは２つの所定値内に含まれるかを示す情報であるか、又は、測定されたＳＩＮＲもしくは測定された干渉・雑音成分の逆数に適した変調及び符号化方式である情報である。
【００８１】
プロセッサ２００はまた、第１の通信装置１０によって管理される無線エリア１５に位置する各第２の通信装置２０に対し、周波数サブバンドの１つ又は複数のグループを確定することができる。この確定される１つ又は複数のグループは、各第２の通信装置２０が、第１の通信装置１０からダウンリンクチャネルを介してデータのグループを表す信号を受け取る場合に使用しなければならないものであり、及び／又は、各第２の通信装置２０が、第１の通信装置１０にアップリンクチャネルを介してデータのグループを表す信号を転送する場合に使用しなければならないものである。
【００８２】
チャネルインタフェース２０５は、本発明による少なくとも１つのサブバンド周波数の第１のグループでのメッセージの転送又はデータのグループの転送を可能にするサブバンドベース送信機２２０を備える。サブバンドベース送信機２２０は、アンテナＢＳＡｎによって転送される信号を形成する。
【００８３】
図３は、第２の通信装置のアーキテクチャを表す図である。
【００８４】
第２の通信装置２０、例として第２の通信装置２０１は、たとえば、バス３０１によって互いに接続されるコンポーネントと、図１０に開示するようなアルゴリズムに関連するプログラムによって制御されるプロセッサ３００とに基づくアーキテクチャを有する。
【００８５】
ここで、第２の通信装置２０は、一変形において、後に開示するようにプロセッサ３００によって実行される動作と同じ動作を実行する１つ又はいくつかの専用集積回路の形式で実装されることに留意すべきである。
【００８６】
バス３０１は、プロセッサ３００を、リードオンリメモリＲＯＭ３０２、ランダムアクセスメモリＲＡＭ３０３及びチャネルインタフェース３０５にリンクする。
【００８７】
リードオンリメモリＲＯＭ３０２は、第１の通信装置２０１に電源が投入された場合にランダムアクセスメモリＲＡＭ３０３に転送される、図１０に開示するようなアルゴリズムに関連するプログラムの命令を含む。
【００８８】
ＲＡＭメモリ３０３は、変数を受け取るように意図されたレジスタと、図１０に開示するようなアルゴリズムに関連するプログラムの命令とを含む。
【００８９】
チャネルインタフェース３０５は、図３において３１０と示すチャネル品質指示モジュールＣＱＩと、少なくとも１つの周波数サブバンドの第２のグループの少なくとも１つの周波数サブバンドに対するチャネル品質指示を表す情報を確定する平均化モジュール３４０とを含む。
【００９０】
チャネル品質指示モジュール３１０は、無線通信ネットワークのｌ＝１〜Ｌ個の周波数サブバンドの各々に対し、その周波数サブバンドにおいて第２の通信装置２０によって受信される信号対干渉・雑音比又は干渉・雑音成分の逆数を確定する。
【００９１】
平均化モジュール３４０は、少なくとも１つの周波数サブバンドの第２のグループの少なくとも１つの周波数サブバンドのチャネル品質指示を表す情報を確定する。その情報は、第２の通信装置によって第２のグループの各周波数サブバンドにおいて測定されるＳＩＮＲの平均もしくは干渉・雑音成分の平均であるか、又は、平均化されたＳＩＮＲもしくは平均化された干渉・雑音成分の逆数が所定値を上回るか下回るかもしくは２つの所定値内に含まれるかを示す情報であるか、又は、測定されたＳＩＮＲもしくは測定された干渉・雑音成分に適した変調及び符号化方式である情報である。
【００９２】
チャネルインタフェース３０５は、本発明による少なくとも１つのサブバンド周波数の第１のグループ及び／又は第２のグループでのメッセージの転送を可能にし、かつ、少なくとも１つのサブバンド周波数サブバンドの少なくとも１つの第１のグループでのデータのグループの転送を可能にする、サブバンドベース送信機３２０を備える。サブバンドベース送信機３２０は、アンテナＭＳＡｎによって転送される信号を形成する。
【００９３】
図４は、本発明の具現化の第１のモードによる、第１の通信装置によって実行されるアルゴリズムを表す図である。
【００９４】
ステップＳ４００において、例として第１の通信装置１０１のプロセッサ２００は、複数のグループのうちから少なくとも１つの周波数サブバンドの第１のグループを識別する情報の、チャネルインタフェース２０５を介する第２の通信装置２０への転送を命令する。
【００９５】
少なくとも１つの周波数サブバンドの第１のグループを識別する情報は、少なくとも１つの周波数サブバンドのグループの、第１の通信装置２０及び第２の通信装置２０によって既知である識別子を含むか、又は、少なくとも１つの周波数サブバンドの第１のグループに含まれる各周波数サブバンドを識別する情報を含む。
【００９６】
一変形において、プロセッサ２００は、少なくとも１つの周波数サブバンドの第１のグループをそれぞれ識別する複数の情報の、チャネルインタフェース２０５を介する転送を命令する。
【００９７】
次のステップＳ４０１において、プロセッサ２００は、少なくとも１つの周波数サブバンドの第２のグループを識別する情報の、チャネルインタフェース２０５を介する第２の通信装置２０への転送を命令する。
【００９８】
少なくとも１つの周波数サブバンドの第２のグループを識別する情報は、少なくとも１つの周波数サブバンドのグループの、第１の通信装置２０及び第２の通信装置２０によって既知である識別子を含むか、又は、少なくとも１つの周波数サブバンドの第２のグループに含まれる各周波数サブバンドを識別する情報を含む。
【００９９】
一変形では、プロセッサ２００は、少なくとも１つの周波数サブバンドの第２のグループをそれぞれ識別する複数の情報の、チャネルインタフェース２０５を介する転送を命令する。
【０１００】
ここで、第１のグループを識別する少なくとも１つの情報と第２のグループを識別する少なくとも１つの情報とは、１つのメッセージで（図５ｂに示すように）、又は２つのメッセージで転送されることに留意しなければならない。
【０１０１】
図５ｂは、少なくとも１つの周波数サブバンドの第１のグループ及び第２のグループを識別する情報を含む、第１の通信装置によって第２の通信装置に転送されるメッセージの一例を表す図である。
【０１０２】
図５ｂに示すメッセージは、少なくとも２つのフィールドを含む。第１グループと示す第１のフィールドは、少なくとも、複数のグループのうちから少なくとも１つの周波数サブバンドの少なくとも第１のグループを識別する情報を含み、第２グループと示す第２のフィールドは、少なくとも、複数のグループのうちから少なくとも１つの周波数サブバンドの少なくとも第２のグループを識別する情報を含む。任意選択であるＩＤと示す第３のフィールドは、メッセージが転送される第２の通信装置２０を識別する。
【０１０３】
次のステップＳ４０２において、プロセッサ２００は、ステップＳ４００において転送される情報が送信された第２の通信装置２０によって送信される少なくとも１つの信号の、チャネルインタフェース２０５を介する受け取りを検出する。その１つ又は複数の信号は、第１のグループの各周波数サブバンドに対し、チャネル品質指示を表す情報を含む。
【０１０４】
信号は、メッセージの形態、又はチャネル品質指示を表す情報によって重み付けされるパイロット信号の形態である。
【０１０５】
一変形では、そのメッセージは、複数の第１のグループの各第１のグループの各周波数サブバンドに対し、チャネル品質指示を表す情報を含む。
【０１０６】
次のステップＳ４０３において、プロセッサ２００は、ステップＳ４０１において転送される信号が送信された第２の通信装置２０によって送信される情報の、チャネルインタフェース２０５を介する受け取りを検出する。その情報は、第２のグループの少なくとも１つの周波数サブバンドのチャネル品質指示を表す。
【０１０７】
信号は、メッセージの形態、又はチャネル品質指示を表す情報によって重み付けされるパイロット信号の形態である。
【０１０８】
一変形では、そのメッセージは、複数の第２のグループの各第２のグループの各周波数サブバンドに対し、チャネル品質指示を表す情報を含む。
【０１０９】
ここで、ステップＳ４０２及びＳ４０３において受け取られる情報は、単一のメッセージ又は２つのメッセージに含まれる、ということに留意しなければならない。
【０１１０】
例として、第２の通信装置２０は、図５ａにおいて開示されるようなチャネル指示を報告する。
【０１１１】
図５ａは、本発明による、第２の通信装置により第１の通信装置に転送されるメッセージの一例を表す図である。
【０１１２】
メッセージは、少なくとも３つのフィールドを含む。ＣＱＩ  ＳＢ１と示す第１のフィールドは、周波数サブバンドＳＢ１のチャネル品質指示を表す情報を含む。ＣＱＩ  ＳＢ２と示す第２のフィールドは、周波数サブバンドＳＢ２のチャネル品質指示を表す情報を含む。平均ＳＢ４  ＳＢ５と示す第３のフィールドは、周波数サブバンドＳＢ４及びＳＢ５のチャネル品質指示を表す情報を含む。メッセージは、第２の通信装置２０の識別子を含む、ＩＤと示す任意選択の第４のフィールドも含む。
【０１１３】
図５ａのその例では、少なくとも１つの周波数サブバンドの第１のグループは、ＳＢ１及びＳＢ２と示す２つの周波数サブバンドを含み、少なくとも１つの周波数サブバンドの第２のグループは、ＳＢ４及びＳＢ５と示す２つの周波数サブバンドを含む。
【０１１４】
第１の通信装置１０は、周波数サブバンドＳＢ１のチャネル品質指示を表す情報と、周波数サブバンドＳＢ２のチャネル品質指示を表す情報とを受け取り、周波数サブバンドＳＢ４及びＳＢ５におけるチャネル品質指示を表す情報を受け取る。
【０１１５】
次のステップＳ４０４において、プロセッサ２００は、第２のグループの少なくとも１つの周波数サブバンドに対するチャネル品質指示を表す情報が所与の情報を上回るか否かを検査する。
【０１１６】
所与の情報は、所定値であるか、又は、ステップＳ４０２において受け取られる各チャネル品質指示から確定される情報である。
【０１１７】
各チャネル品質指示から確定されるその情報は、第２の通信装置２０によって受信される、受信されたＳＩＮＲの平均もしくは干渉・雑音成分の平均の逆数であるか、又は、平均化されたＳＩＮＲもしくは平均化された干渉・雑音成分の逆数が所定値を上回るか下回るかもしくは２つの所定値内に含まれるかを示す情報であるか、又は、測定されたＳＩＮＲもしくは測定された干渉・雑音成分に適した変調及び符号化方式である。
【０１１８】
例として、周波数サブバンドＳＢ４及びＳＢ５におけるチャネル品質指示を表す情報が、図６ａにおいてＮｏａと示す曲線から確定される場合、且つ周波数サブバンドＳＢ４及びＳＢ５におけるチャネル品質指示を表す情報が、所与の情報、たとえば曲線Ｎｏａから確定される周波数サブバンドＳＢ１及びＳＢ２におけるチャネル品質指示の平均を上回る場合、プロセッサ２００はステップＳ４０５に移る。
【０１１９】
図６ａにおいて、Ｎｏａと示す曲線は、無線通信ネットワークの周波数サブバンドＳＢ１〜ＳＢＬにおける干渉・雑音レベルを表す。
【０１２０】
こうした場合は、第１の通信装置１０１によって管理される無線エリア１５１の隣接無線エリア１５２〜１５５に位置する通信装置１０又は２０のいずれも、現在周波数サブバンドＳＢ４及びＳＢ５を使用していない場合に発生する。
【０１２１】
一方、周波数サブバンドＳＢ４及びＳＢ５におけるチャネル品質指示を表す情報が、図６ｂにおける曲線Ｎｏｂから確定される場合、且つ周波数サブバンドＳＢ４及びＳＢ５におけるチャネル品質指示を表す情報が、所与の情報、たとえば曲線Ｎｏｂから確定される周波数サブバンドＳＢ１及びＳＢ２におけるチャネル品質指示の平均を下回る場合、プロセッサ２００はステップＳ４０７に移る。
【０１２２】
図６ｂにおいて、Ｎｏｂと示す曲線は、無線通信ネットワークの周波数サブバンドＳＢ１〜ＳＢＬにおける干渉・雑音レベルを表す。
【０１２３】
こうした場合は、第１の通信装置１０１によって管理される無線エリア１５１の隣接無線エリアである１５２〜１５５エリアに位置する通信装置１０又は２０の少なくとも１つが、現在周波数サブバンドＳＢ４及びＳＢ５を使用している場合に発生する。
【０１２４】
ステップＳ４０５において、プロセッサ２００は、少なくとも１つの周波数サブバンドの少なくとも１つの別の第１のグループを選択する。周波数サブバンドのこの別の第１のグループは、たとえば、本アルゴリズムのステップＳ４０１において先に指示した少なくとも１つの周波数サブバンドの第２のグループか、又は複数のグループのうちからランダムに選択されたグループである。
【０１２５】
その後、プロセッサ２００はステップＳ４０６に移る。そのステップにおいて、プロセッサ２００は、第２の通信装置２０へのメッセージの転送を命令する。そのメッセージは１つ又は複数のグループの識別子を含む。この識別子は、各第２の通信装置２０が、ダウンリンクチャネルを介して第１の通信装置１０からデータのグループを表す信号を受け取る場合に使用しなければならない、１つ又は複数のグループの識別子であり、及び／又は、各第２の通信装置２０が、アップリンクチャネルを介して第１の通信装置１０にデータのグループを表す信号を転送する場合に使用しなければならない周波数サブバンドの１つ又は複数のグループの識別子である。
【０１２６】
その１つ又は複数のグループは、ステップＳ４０５において選択されたものであることが好ましい。
【０１２７】
その後、プロセッサ２００はステップＳ４０７に移る。
【０１２８】
ステップＳ４０７において、プロセッサ２００は、少なくとも１つの周波数サブバンドの別の第２のグループを選択する。この別の第２のグループは、たとえば、少なくとも１つの周波数サブバンドの複数の可能なグループのうちからランダムに選択される。
【０１２９】
そして、プロセッサ２００は、ステップＳ４００に戻り、少なくとも１つの周波数サブバンドの別の第１のグループ及び第２のグループに対しステップＳ４００〜Ｓ４０７を実行する。
【０１３０】
それにより、プロセッサ２００は、長期的に、無線通信ネットワークの周波数サブバンドにおけるチャネル品質指示を表す情報を取得することができ、及び／又は、無線通信ネットワークによって使用される各周波数サブバンドに対するチャネル品質指示を表す情報を取得することができる。
【０１３１】
チャネル品質指示を表す情報が複数のチャネル品質指示の平均を表す限り、その情報においては、チャネル品質指示を表す情報においてより、マルチパスフェージング効果が検知されにくい(less sensible)。
【０１３２】
さらに、通信装置１０及び／又は２０は、優れたチャネル品質指示を有する周波数サブバンドでデータのグループを表す信号を送信又は受信する。
【０１３３】
図７ａは、少なくとも１つの周波数サブバンドの第１のグループ及び第２のグループを識別する情報を含む、第１の通信装置によって第２の通信装置に転送されるメッセージの別の例を表す図である。
【０１３４】
図７ａの例では、第２の通信装置２０１に対して指示される少なくとも１つの周波数サブバンドの第１のグループは、１つの周波数サブバンドＳＢ１を含み、第２の通信装置２０１に対して指示される少なくとも１つの周波数サブバンドの第２のグループは、ＳＢ３と示す１つの周波数サブバンドを含む。
【０１３５】
第２の通信装置２０２に対して指示される少なくとも１つの周波数サブバンドの第２のグループは、１つの周波数サブバンドＳＢ５を含み、第２の通信装置２０２に対して指示される少なくとも１つの周波数サブバンドの第２のグループは、ＳＢ３と示す１つの周波数サブバンドを含む。
【０１３６】
第１の通信装置１０は、第２の通信装置２０１及び２０２から、異なる瞬間に測定された周波数サブバンドＳＢ１及びＳＢ５のチャネル品質指示を表す情報を受け取り、異なる瞬間における周波数サブバンドＳＢ３におけるチャネル品質指示を表す情報を受け取る。
【０１３７】
第２の通信装置２０１は、周波数サブバンドＳＢ１のチャネル品質指示を表す情報を定期的に転送する。
【０１３８】
第２の通信装置２０２は、周波数サブバンドＳＢ５のチャネル品質指示を表す情報を定期的に転送する。
【０１３９】
図７ａにおいて、第２の通信装置２０１及び第２の通信装置２０２の双方によって、周波数サブバンドＳＢ３におけるチャネル品質指示を表すそれらそれぞれの情報を転送するために、同一の周波数サブバンドＳＢ３が使用される。第２の通信装置２０１及び２０２は、そのために異なるタイムスロットを使用する。
【０１４０】
第２の通信２０１は、周波数サブバンドＳＢ３の２つの異なる瞬間において測定されるチャネル品質指示を表す情報の平均を定期的に転送する。
【０１４１】
第２の通信２０２は、周波数サブバンドＳＢ３の２つの異なる瞬間において測定されるチャネル品質指示を表す情報の平均を定期的に転送する。
【０１４２】
図７ｂは、第２の通信装置により第１の通信装置に転送されるフレームの一例を表す図である。
【０１４３】
図７ｂにおいて、２つの連続したフレームが示されている。水平軸は時間を表し、垂直軸は周波数帯域を表す。
【０１４４】
第２の通信装置２０１は、ＳＢＡと示す周波数サブバンドで、フレーム１と示す第１のフレームのＴＳ１と示すタイムスロットにおいて、第１の通信１０１が指示した第１のグループの各周波数サブバンドのチャネル品質指示を表す情報を転送する。
【０１４５】
第２の通信装置２０１は、周波数サブバンドＳＢＡ及びＳＢＢで、フレーム１のＴＳ２と示すタイムスロットにおいて、第１の通信１０１が指示した第２のグループに含まれる各周波数サブバンドに対し第２の通信装置によって確定されたチャネル品質指示を表す情報を転送する。
【０１４６】
第２の通信装置２０２は、ＳＢＢと示す周波数サブバンドで、フレーム１のＴＳ１と示すタイムスロットにおいて、第１の通信１０１が指示した第１のグループの各周波数サブバンドのチャネル品質指示を表す情報を転送する。
【０１４７】
第２の通信装置２０１は、ＳＢＡと示す周波数サブバンドで、フレーム２と示す次のフレームのＴＳ１と示すタイムスロットにおいて、第１の通信１０１が指示した第１のグループの各周波数サブバンドのチャネル品質指示を表す情報を転送する。
【０１４８】
第２の通信装置２０２は、ＳＢＡと示す周波数サブバンドにおいて、フレーム２のＴＳ１と示すタイムスロットにおいて、第１の通信１０１が指示した第１のグループの各周波数サブバンドのチャネル品質指示を表す情報を転送する。
【０１４９】
第２の通信装置２０２は、周波数サブバンドＳＢＡ及びＳＢＢで、フレーム２のフレームのＴＳ２と示すタイムスロットにおいて、第１の通信１０１が指示した第２のグループに含まれる各周波数サブバンドに対し第２の通信装置によって確定されたチャネル品質指示を表す情報を転送する。
【０１５０】
第２の通信装置２０は、別法としてフレームのタイムスロットＴＳ２を使用する。
【０１５１】
図８は、本発明の具現化の第２のモードによる、第１の通信装置によって実行されるアルゴリズムを表す図である。
【０１５２】
ステップＳ８００において、例として第１の通信装置１０のプロセッサ２００は、少なくとも１つの周波数サブバンドの第１のグループを識別する少なくとも１つの情報の、チャネルインタフェース２０５を介する第２の通信装置２０への転送を命令する。
【０１５３】
少なくとも１つの周波数サブバンドの第１のグループを識別する情報は、図４のステップＳ４００において開示されるものと同様である。
【０１５４】
次のステップＳ８０１において、プロセッサ２００は、少なくとも１つの周波数サブバンドの第２のグループを識別する少なくとも１つの情報の、チャネルインタフェース２０５を介する第２の通信装置２０への転送を命令する。
【０１５５】
ここで、プロセッサ２００は、一変形において、少なくとも１つの周波数サブバンドの第２のグループをそれぞれ識別する複数の情報の、チャネルインタフェース２０５を介する転送を命令することに留意しなければならない。
【０１５６】
少なくとも１つの周波数サブバンドの第２のグループを識別する情報は、図４のステップＳ４０１において開示するものと同様である。
【０１５７】
ここで、第１のグループ及び少なくとも１つの第２のグループを識別する情報は、１つのメッセージで（図５ｂに示すように）、又は２つのメッセージで転送されることに留意しなければならない。
【０１５８】
次のステップＳ８０２において、プロセッサ２００は、ステップＳ８００において転送される情報が送信された第２の通信装置２０によって送信される少なくとも１つの信号の、チャネルインタフェース２０５を介する受け取りを検出する。その１つ又は複数の信号は、第１のグループの各サブバンドに対し、考慮された周波数サブバンドに対するチャネル品質指示を表す情報を含む。
【０１５９】
信号は、メッセージの形態、又はチャネル品質指示を表す情報によって重み付けされるパイロット信号の形態である。
【０１６０】
チャネル品質指示を表す情報は、図４のステップＳ４０２に開示したものと同様である。
【０１６１】
次のステップＳ８０３において、プロセッサ２００は、ステップＳ８０１において転送される情報が送信された第２の通信装置２０によって送信されるメッセージの、チャネルインタフェース２０５を介する受け取りを検出する。その情報は、第２のグループの少なくとも１つの周波数サブバンドに対するチャネル品質指示を表す。
【０１６２】
一変形では、チャネル品質指示を表す情報は、ステップＳ８０１において指定される各第２のグループに対して受け取られる。
【０１６３】
少なくとも１つの周波数サブバンドの第１のグループは、たとえば図９においてＧｒ１と示すグループであり、少なくとも１つの周波数サブバンドの第２のグループは、たとえば図９においてＧｒ１１と示すグループである。
【０１６４】
図９は、本発明の具現化の第２のモードで使用される周波数サブバンドの異なるグループの一例を表す図である。
【０１６５】
図９において、Ｇｒ１、Ｇｒ１０、Ｇｒ１１、Ｇｒ２０、Ｇｒ２１、Ｇｒ３０及びＧｒ３１と示す周波数サブバンドの７つのグループがある。
【０１６６】
グループＧｒ１は、周波数サブバンドＳＢ１及びＳＢ２を含む。グループＧｒ１０は、周波数サブバンドＳＢ３〜ＳＢ８を含む。グループＧｒ１１は、周波数サブバンドＳＢ９〜ＳＢＬを含む。グループＧｒ２０は、周波数サブバンドＳＢ３〜ＳＢ６を含む。グループＧｒ２１は、周波数サブバンドＳＢ７及びＳＢ８を含む。グループＧｒ３０は、周波数サブバンドＳＢ３及びＳＢ４を含む。グループＧｒ３０は、周波数サブバンドＳＢ３及びＳＢ４を含む。グループＧｒ３１は、周波数サブバンドＳＢ５及びＳＢ６を含む。
【０１６７】
次のステップＳ８０４において、プロセッサ２００は、第２のグループの少なくとも１つの周波数サブバンドに対するチャネル品質指示を表す情報が所与の情報を上回るか否かを検査する。
【０１６８】
所与の情報は、図４のステップＳ４０４において説明したものと同様である。
【０１６９】
ここで、ステップＳ８０１において複数の第２のグループがあった場合、プロセッサ２００は、チャネル品質指示を表す受け取られた情報のそれぞれに対しステップＳ８０４を実行することに留意しなければならない。
【０１７０】
第２のグループの周波数サブバンドに対するチャネル品質指示を表す情報が所与の情報を上回る場合、プロセッサはステップＳ８０７に移る。
【０１７１】
第２のグループの周波数サブバンドに対するチャネル品質指示を表す情報が所与の情報を下回る場合、プロセッサはステップＳ８０５に移る。
【０１７２】
例として、第２のグループＧｒ１１の周波数サブバンドに対するチャネル品質指示を表す情報は所与の情報を下回り、プロセッサ２００はステップＳ８０５に移る。
【０１７３】
ステップＳ８０５において、プロセッサ２００は、周波数サブバンドの分析が完了したか否かを検査する。プロセッサ２００は、少なくとも１つの処理中の周波数サブバンドの第２のグループと少なくとも同じ数の周波数サブバンドを含む各グループの周波数サブバンドに対するチャネル品質指示を表す情報を受け取った場合、ステップＳ８０９に移る。そうでない場合、プロセッサ２００はステップＳ８０６に移る。
【０１７４】
ステップＳ８０５において、プロセッサ２００は、少なくとも１つの周波数サブバンドの別の第２のグループ、たとえばグループＧｒ１０を選択する。そして、プロセッサ２００は、上述したステップＳ８００に戻る。
【０１７５】
プロセッサ２００は、すでに開示したようにステップＳ８００〜Ｓ８０４を実行する。
【０１７６】
例として、ステップＳ８０４において、第２のグループＧｒ１０の周波数サブバンドに対するチャネル品質指示を表す情報が所与の情報を上回る場合、プロセッサ２００はステップＳ８０７に移る。
【０１７７】
ステップＳ８０７において、プロセッサ２００は、周波数サブバンドの分析が完了しているか否かを検査する。プロセッサ２００は、最大で処理中の第２のグループと同じ数の周波数サブバンドを含む各グループの周波数サブバンドに対するチャネル品質指示を表す情報を受け取った場合、ステップＳ８０９に移る。そうでない場合、プロセッサ２００はステップＳ８０８に移る。
【０１７８】
ステップＳ８０８において、プロセッサ２００は、第２のグループＧｒ１０の内容を精緻化し、少なくとも１つの周波数サブバンドＧｒ１０の第２のグループの周波数サブバンドのうちのサブセット、たとえばグループＧｒ２１を選択する。
【０１７９】
グループＧｒ２１はグループＧｒ１０に含まれ、すなわち、グループＧｒ１０に含まれる周波数サブバンドの一部を含む。
【０１８０】
プロセッサ２００はすでに開示したようにステップＳ８００〜Ｓ８０４を実行する。
【０１８１】
例として、ステップＳ８０４において、第２のグループＧｒ２１の周波数サブバンドに対するチャネル品質指示を表す情報が所与の情報を下回る場合、プロセッサ２００はステップＳ８０５及びＳ８０６に移り、別の第２のグループ、すなわちグループＧｒ２０を選択する。
【０１８２】
プロセッサ２００は、すでに開示したようにステップＳ８００〜Ｓ８０４を実行する。
【０１８３】
例として、ステップＳ８０４において、第２のグループＧｒ２０の周波数サブバンドに対するチャネル品質指示を表す情報が所与の情報を上回る場合、プロセッサ２００はステップＳ８０７及びＳ８０８に移り、少なくとも１つの周波数サブバンドＧｒ２０の第２のグループ、たとえばグループＧｒ３１の周波数サブバンドの別のサブセットを選択する。
【０１８４】
プロセッサ２００は、すでに開示したようにステップＳ８００〜Ｓ８０４を実行する。
【０１８５】
例として、ステップＳ８０４において、第２のグループＧＲ３１の周波数サブバンドに対するチャネル品質指示を表す情報が所与の情報を上回る場合、プロセッサ２００はステップＳ８０７に移り、周波数サブバンドの分析が完了すると、プロセッサ２００はステップＳ８０９に移る。
【０１８６】
ステップＳ８０９において、プロセッサ２００は、第２のグループの周波数サブバンドに対するチャネル品質指示を表す情報が所与の情報を上回る第２のグループのうちから、少なくとも１つの第２のグループを確定した。
【０１８７】
次のステップＳ８１０において、プロセッサ２００は、少なくとも１つの周波数サブバンドの別の第１のグループを選択する。周波数サブバンドのその別の第１のグループは、ステップＳ８０９において確定された少なくとも１つの第２のグループである。
【０１８８】
次のステップＳ８１１において、プロセッサ２００は、第２の通信装置２０へのメッセージの転送を命令する。メッセージは、グループの識別子又は複数のグループの複数の識別子を含む。この識別子は、各第２の通信装置２０が、データのグループを表す信号を、第１の通信装置１０からダウンリンクチャネルを介して受け取る場合に使用しなければならない識別子であり、及び／又は、各第２の通信装置２０が、データのグループを表す信号を、アップリンクチャネルを介して第１の通信装置１０に転送する場合に使用しなければならない周波数サブバンドの１つ又は複数のグループの識別子である。
【０１８９】
データのそのグループは、たとえばステップＳ８１０において確定されたグループである。
【０１９０】
その後、プロセッサ２００は、同一の又は別の第２の通信装置２０に対して本アルゴリズムを実行するためにステップＳ８００に戻る。
【０１９１】
図１０は、本発明の具現化の第１のモード及び第２のモードによる、各第２の通信装置によって実行されるアルゴリズムを表す図である。
【０１９２】
ステップＳ１００において、たとえば第２の通信装置２０２のプロセッサ３００は、第１の通信装置１０１からチャネルインタフェース３０５を介して、少なくとも１つの周波数サブバンドの第１のグループを識別する情報を含むメッセージを受け取る。
【０１９３】
受け取られる情報は、図４のステップＳ４００又は図８のステップＳ８００において転送されたものと同様である。
【０１９４】
次のステップＳ１０１において、プロセッサ３００は、第１の通信装置１０１からチャネルインタフェース３０５を介して、少なくとも１つの周波数サブバンドの第２のグループを識別する情報を受け取る。
【０１９５】
受け取られる情報は、図４のステップＳ４０１又は図８のステップＳ８０１において転送されたものと同様である。
【０１９６】
ここで、ステップＳ１００及びＳ１０１において受け取られる情報は単一のメッセージ又は２つのメッセージに含まれることに留意しなければならない。
【０１９７】
次のステップＳ１０２において、プロセッサ３００は、チャネルインタフェース３０５のＣＱＩ測定モジュール３１０から、ステップＳ１００において識別された少なくとも１つの周波数サブバンドの第１のグループに含まれる少なくとも１つの周波数サブバンドに対して測定されたチャネル品質指示を受け取る。
【０１９８】
次のステップＳ１０３において、プロセッサ３００は、チャネルインタフェース３０５の平均化モジュール３４０から、ステップＳ１０１において識別された少なくとも１つの周波数サブバンドの第２のグループに含まれる少なくとも１つの周波数サブバンドに対して確定されたチャネル品質指示を表す情報を受け取る。
【０１９９】
次のステップＳ１０４において、プロセッサ３００は、第１のグループの各サブバンドに対してチャネル品質指示を表す情報を含む少なくとも１つの信号の、チャネルインタフェース３０５を介する転送を命令する。
【０２００】
１つ又は複数の信号は、メッセージの形態、又はチャネル品質指示を表す情報によって重み付けされるパイロット信号の形態である。
【０２０１】
次のステップＳ１０５において、プロセッサ３００は、第２のグループの少なくとも１つの周波数サブバンドに対するチャネル品質指示を表す情報の、チャネルインタフェース３０５を介する転送を命令する。
【０２０２】
チャネル品質指示を表す情報は、メッセージの形態、又はチャネル品質指示を表す情報によって重み付けされるパイロット信号の形態である。
【０２０３】
ここで、ステップＳ１０４及びＳ１０５における転送される情報メッセージは、単一のメッセージ又は２つのメッセージに含まれる、ということに留意しなければならない。
【０２０４】
次のステップＳ１０６において、プロセッサ３００は、第１の通信装置１０によって転送されるメッセージの受け取りを検出する。このメッセージは、
第２の通信装置２０が、データのグループを表す信号を、第１の通信装置１０からダウンリンクチャネルを介して受け取る場合に使用しなければならない１つのグループの１つの識別子又は複数のグループの複数の識別子を含み、及び／又は、各第２の通信装置２０が、データのグループを表す信号を、第１の通信装置１０にアップリンクチャネルを介して転送する場合に使用しなければならないサブバンド周波数の１又は複数のグループの識別子を含む。
【０２０５】
そして、プロセッサ３００はステップＳ１００に戻り、新たなメッセージの受け取りを待つ。
【０２０６】
図１１は、本発明の具現化の第３のモードによる、第１の通信装置によって実行されるアルゴリズムを表す図である。
【０２０７】
ステップＳ１１０において、例として第１の通信装置１０１のプロセッサ２００は、ステップＳ４００においてすでに開示したように、複数のグループのうちから少なくとも１つの周波数サブバンドの第１のグループを識別する情報の、チャネルインタフェース２０５を介する第２の通信装置２０への転送を命令する。
【０２０８】
次のステップＳ１１１において、プロセッサ２００は、ステップＳ１１０において転送される情報が送信された第２の通信装置２０によって送信される信号の、チャネルインタフェース２０５を介する受け取りを検出する。その信号は、第１のグループの各周波数サブバンドに対し、チャネル品質指示を表す情報を含む。
【０２０９】
チャネル品質指示を表す情報は、メッセージの形態、又はチャネル品質指示を表す情報によって重み付けされるパイロット信号の形態である。
【０２１０】
一変形において、そのメッセージは、各第１のグループの各周波数サブバンドに対し、チャネル品質指示を表す情報を含む。
【０２１１】
次のステップＳ１１２において、プロセッサ２００は、無線通信ネットワークの周波数サブバンドのグループのうちで最も高い(the highest)チャネル品質指示を有する周波数サブバンドの１つ又は複数のグループの１つ又は複数の識別子を含む信号の、チャネルインタフェース２０５を介する受け取りを検出する。その信号は、また、各識別子と組み合わせて、そのグループの少なくとも１つの周波数サブバンドに対するチャネル品質指示を表す情報も含む。
【０２１２】
次のステップＳ１１３において、プロセッサ２００は、第２のグループの少なくとも１つの周波数サブバンドに対するチャネル品質指示を表す情報が所与の情報を上回るか否かを検査する。
【０２１３】
所与の情報は、所定値、又は図４のステップＳ４０４においてすでに開示したようにステップＳ１１１において受け取られる各チャネル品質指示から確定される情報である。
【０２１４】
第２のグループの少なくとも１つの周波数サブバンドに対するチャネル品質指示を表す少なくとも１つの情報が所与の情報を上回る場合、プロセッサ２００はステップＳ１１４に移る。そうでない場合、プロセッサ２００はステップＳ１１１に戻る。
【０２１５】
ここで、一変形において、１１００と示す矢印によって示すように、ステップＳ１１２において受け取られる信号は、無線通信ネットワークの周波数サブバンドのグループのうちで最も高いチャネル品質指示を有する周波数サブバンドのグループの識別子のみを含むことに留意しなければならない。
【０２１６】
その変形によれば、プロセッサ２００はステップＳ１１２からステップＳ１１４に直接移る。
【０２１７】
ステップＳ１１４において、プロセッサ２００は、少なくとも１つの周波数サブバンドの少なくとも１つの別の第１のグループを選択する。周波数サブバンドのこの別の第１のグループは、少なくとも１つの、周波数サブバンドのグループのうちで最も高いチャネル品質指示を有する周波数サブバンドの、グループである。
【０２１８】
その後、プロセッサ２００はステップＳ１１５に移る。そのステップにおいて、プロセッサ２００は、第２の通信装置２０へのメッセージの転送を命令する。メッセージは、各第２の通信装置２０が、第１の通信装置１０からダウンリンクチャネルを介してデータのグループを表す信号を受け取る場合に使用しなければならない１つのグループの１つの識別子又は複数のグループの複数の識別子を含み、及び／又は、第２の通信装置２０が、第１の通信装置１０にアップリンクチャネルを介してデータのグループを表す信号を転送する場合に使用しなければならない周波数サブバンドの１つ又は複数のグループの識別子を含む。
【０２１９】
その後、プロセッサ２００は次にステップＳ１１０に戻り、少なくとも１つの周波数サブバンドの、残りの第１のグループに対してステップＳ１１０〜Ｓ１１５を実行する。
【０２２０】
図１２は、本発明の具現化の第３のモードによる、各第２の通信装置によって実行されるアルゴリズムを表す図である。
【０２２１】
ステップＳ１２０において、例として第２の通信装置２０２のプロセッサ３００は、第１の通信装置１０１からチャネルインタフェース３０５を介して、少なくとも１つの周波数サブバンドの第１のグループを識別する情報を含むメッセージを受け取る。
【０２２２】
受け取られる情報は、図１１のステップＳ１１０において転送されるものと同様である。
【０２２３】
次のステップＳ１２１において、プロセッサ３００は、チャネルインタフェース３０５のＣＱＩ測定モジュール３１０から、ステップＳ１２０において識別された少なくとも１つの周波数サブバンドの第１のグループに含まれる少なくとも１つの周波数サブバンドに対して測定されるチャネル品質指示を受け取る。
【０２２４】
次のステップＳ１２２において、プロセッサ３００は、チャネルインタフェース３０５の平均化モジュール３４０から、無線通信ネットワークのグループの各々に対して確定されるチャネル品質指示を表す情報を受け取る。
【０２２５】
次のステップＳ１２３において、プロセッサ３００は、無線通信ネットワークの周波数サブバンドのグループのうちで最も高いチャネル品質指示を有する周波数サブバンドの１つ又は複数のグループの１つまたは複数の識別子を確定する。
【０２２６】
次のステップＳ１２４において、プロセッサ３００は、図１１のステップＳ１１１において開示したものと同様のメッセージの、チャネルインタフェース３０５を介する転送を命令する。
【０２２７】
次のステップＳ１２５において、プロセッサ３００は、図１１のステップＳ１１２において開示したものと同様のメッセージの、チャネルインタフェース３０５を介する転送を命令する。
【０２２８】
次のステップＳ１２６において、プロセッサ３００は、図１０のステップＳ１０６において受け取られるものと同様のメッセージの受け取りを検出する。
【０２２９】
そして、プロセッサ３００はステップＳ１２０に戻り、新たなメッセージの受け取りを待つ。
【０２３０】
図１３は、本発明の具現化の第４のモードによる、各第２の通信装置に対する少なくとも１つの第１のグループを、他の第２の通信装置によって転送される情報を考慮して確定するために、各第１の通信装置によって実行されるアルゴリズムを表す図である。
【０２３１】
それぞれ図４、図８及び図１１において説明したアルゴリズムのステップＳ４０４、Ｓ８０４及びＳ１１３において実行される、チャネル品質指示を表す情報と、所与の情報との比較に加えて、本アルゴリズムは各第１の通信装置１０によって実行される。
【０２３２】
ステップＳ１３０において、例として第１の通信装置１０１のプロセッサ２００は、自身が管理するセル１５１に位置する各第２の通信装置２０から、トラフィックに関する要件、すなわち要求されるデータレート及び／又はサービス品質を取得する。それらの要件に従って、少なくとも１つの周波数サブバンドの１つ又はいくつかの第１のグループを要求してもよい。
【０２３３】
次のステップＳ１３１において、プロセッサ２００は、自身が管理するセル１５１に位置する各第２の通信装置２０から、その第２の通信２０に対して指示された第１のグループの各サブバンドに対するチャネル状態指示を表す情報を受け取る。
【０２３４】
ここで、異なる第２の通信装置２０に対して異なる第１のグループを指示することができる、ということに留意しなければならない。
【０２３５】
次のステップＳ１３２において、プロセッサ２００は、自身が管理するセル１５１に位置する各第２の通信装置２０から、その第２の通信装置２０に対して指示された第２のグループの各サブバンドに対するチャネル状態指示を表す情報を受け取る。
【０２３６】
ここで、異なる第２の通信装置２０に対して異なる第２のグループを指示することができる、ということに留意しなければならない。
【０２３７】
次のステップＳ１３３において、プロセッサ２００は、自身が管理するセル１５１に位置する各第２の通信装置２０に対して、少なくとも１つの第１のグループを、自身が管理するセル１５１に位置する他の第２の通信装置２０によって転送される情報を考慮して確定する。
【０２３８】
そのため、プロセッサ２００は、本アルゴリズムのステップＳ１３０において取得された要件とステップＳ１３１及びＳ１３２において受け取られた情報との知識を使用する。
【０２３９】
例として且つ非限定的に、トラフィックに関する要件を処理するために、第２の通信装置２０１により多くの周波数サブバンドが割り当てられる必要がある場合、プロセッサ２００は、優れたチャネル品質指示を有する別のグループを見つけるために他の第２の通信装置２０２によって転送される情報を使用し、それをその第２の通信装置２０２に割り当てる。
【０２４０】
別の例では、１つの第２の通信装置２０に対して第１のグループが指示され、別の第２の通信装置２０に対して別の第１のグループが指示され、それら第２の通信装置２０に対して同一の第２のグループが指示される場合を考慮する。その第２の通信装置２０は、不十分なチャネル品質状態と、第１のグループ及び第２のグループの周波数サブバンドに対する状態とを表す情報を転送する。別の第２の通信装置２０は、優れたチャネル品質状態と、第１のグループ及び第２のグループの周波数サブバンドに対する状態とを表す情報を転送する。プロセッサ２００は、その第２の通信装置２０に対し、別の第２の通信装置２０に先に指示した第１のグループを指示し、別の第２の通信装置２０に対し、別の第２の通信装置２０に対して先に指示した第２のグループを指示する。
【０２４１】
この説明を読むことから理解できるように、各第１の通信装置１０がＬ個の周波数サブバンドの、周波数サブバンドの複数のグループへの同一の分割を使用する場合、周波数サブバンド間の干渉の変動が増大し、第２の通信装置２０が複数のサブバンドのうちでより干渉の小さい周波数サブバンドを見つける可能性が高くなる。
【０２４２】
ここで、各第１の通信装置１０は、本アルゴリズムを非同期で、すなわち同時にではなく実行する、ということに留意しなければならない。
【０２４３】
必然的に、本発明の範囲から逸脱することなく、上述した本発明の実施形態に対し多くの変更を行うことができる。
【図１】
2011024224.tif 000003
【図２】
2011024224.tif 000004
【図３】
2011024224.tif 000005
【図４】
2011024224.tif 000006
【図５ａ】
2011024224.tif 000007
【図５ｂ】
2011024224.tif 000008
【図６ａ】
2011024224.tif 000009
【図６ｂ】
2011024224.tif 000010
【図７ａ】
2011024224.tif 000011
【図７ｂ】
2011024224.tif 000012
【図８】
2011024224.tif 000013
【図９】
2011024224.tif 000014
【図１０】
2011024224.tif 000015
【図１１】
2011024224.tif 000016
【図１２】
2011024224.tif 000017
【図１３】
2011024224.tif 000018
【外国語明細書】
2011024224.tif 000019
2011024224.tif 000020
2011024224.tif 000021
2011024224.tif 000022
2011024224.tif 000023
2011024224.tif 000024
2011024224.tif 000025
2011024224.tif 000026
2011024224.tif 000027
2011024224.tif 000028
2011024224.tif 000029
2011024224.tif 000030
2011024224.tif 000031
2011024224.tif 000032
2011024224.tif 000033
2011024224.tif 000034
2011024224.tif 000035
2011024224.tif 000036
2011024224.tif 000037
2011024224.tif 000038
2011024224.tif 000039
2011024224.tif 000040
2011024224.tif 000041
2011024224.tif 000042
2011024224.tif 000043
2011024224.tif 000044
2011024224.tif 000045
2011024224.tif 000046
2011024224.tif 000047
2011024224.tif 000048
2011024224.tif 000049
2011024224.tif 000050
2011024224.tif 000051
2011024224.tif 000052
2011024224.tif 000053
2011024224.tif 000054
2011024224.tif 000055
2011024224.tif 000056
2011024224.tif 000057
2011024224.tif 000058
2011024224.tif 000059
2011024224.tif 000060
2011024224.tif 000061
2011024224.tif 000062
2011024224.tif 000063